(57)【要約】【課題】遊技機のパネル面に設置され、小面積でかつ近接する二つのプッシュ面のうち少なくとも一つが照光可能に構成され、省スペース、高耐久性、メンテナンス性に優れるボタンスイッチを提供する。【解決手段】遊技機のパネル面(2)の開口(2a)に係合し第１ボタン(10)及び第２ボタン(20)を備えるボタンスイッチにおいて、第１プッシュ面(11)及び第２プッシュ面(21)が上面から露出するようにこれらを弾発支持する筐体(30)と、この筐体(30)の下面を形成するとともに第１ボタン(10)及び第２ボタン(20)のそれぞれのオン状態／オフ状態を検知する電装部(40)と、パネル面(2)の開口(2a)に係止するよう筐体(30)の上面の外周に鍔状に設けられている鍔部位(31)とを、備えることを特徴とする。【選択図】図１
2009050362.tif 000002
【特許請求の範囲】
【請求項１】
遊技機のパネル面の開口に係合し第１ボタン及び第２ボタンを少なくとも備えるボタンスイッチにおいて、
前記第１ボタン及び前記第２ボタンそれぞれの第１プッシュ面及び第２プッシュ面が上面から露出するようにこれらを弾発支持する筐体と、
前記筐体の下面を形成するとともに前記第１ボタン及び前記第２ボタンのそれぞれのオン状態／オフ状態を検知する電装部と、
前記パネル面の開口に係止するよう前記筐体の上面の外周に鍔状に設けられている鍔部位とを、備えることを特徴とするボタンスイッチ。
【請求項２】
請求項１に記載のボタンスイッチにおいて、
前記筐体には前記第１ボタンを弾発する第１弾発部材及びこの第１ボタンを収納する第１収納室が設けられ、
前記第１ボタンは、
前記第１収納室に摺接する移動子と、
前記移動子に設けられ前記第１収納室の第１係止部位に係止することをもって前記第１ボタンの上死点を規定する第１係止片と、
前記移動子に設けられ前記第１収納室の第１当接面に当接することをもって前記第１ボタンの下死点を規定する当接鍔とを、備えることを特徴とするボタンスイッチ。
【請求項３】
請求項１又は請求項２に記載のボタンスイッチにおいて、
前記筐体には前記第２ボタンを弾発する第２弾発部材及びこの第２ボタンを収納する第２収納室が設けられ、
前記第２ボタンは、
前記第２収納室に摺接する案内片と、
前記第２収納室の第２係止部位に係止することをもって前記第２ボタンの上死点を規定する第２係止片とを備え、
その第２プッシュ面の裏面が前記第２収納室に設けられている第２当接面に当接することをもって前記第２ボタンの下死点が規定されることを特徴とするボタンスイッチ。
【請求項４】
請求項３に記載のボタンスイッチにおいて、
前記電装部には、前記第１プッシュ面を照光させる光源が設けられていることを特徴とするボタンスイッチ。
【請求項５】
請求項４に記載のボタンスイッチにおいて、
前記移動子には、
前記光源の出力光を前記第１プッシュ面の方向に反射させる反射面が設けられている上筒体と、
前記出力光が通過するとともに前記上筒体よりも絞られた外周に前記第１弾発部材が配置される下筒体とが、設けられていることを特徴とするボタンスイッチ。
【請求項６】
請求項４又は請求項５に記載のボタンスイッチにおいて、前記電装部は、
前記収納部から延出する保持片に係合するとともに外部配線が接続される基板と、
前記保持片に係合し前記基板を前記筐体の下面から保持する保持部材とを備え、
前記基板は、
前記光源と、
前記移動子に設けられる第１シャッタを検出することにより前記第１ボタンのオン状態／オフ状態を検知する第１検出器と、
前記案内片に設けられている第２シャッタを検出することにより前記第２ボタンのオン状態／オフ状態を検知する第２検出器とを、有することを特徴とするボタンスイッチ。
【請求項７】
請求項６に記載のボタンスイッチにおいて、前記電装部は、
前記基板に当接するとともに前記光源と前記第２検出器との間を仕切る遮光壁を、有することを特徴とするボタンスイッチ。
【請求項８】
請求項１から請求項７のいずれか１項に記載のボタンスイッチにおいて、
前記筐体の側周面に設けられている螺刻面に挿入され前記パネル面の開口を前記鍔部位と挟持するナットを、備えることを特徴とするボタンスイッチ。
【請求項９】
請求項８に記載のボタンスイッチにおいて、
前記パネル面とナットとの間に介在する台座を有し、
前記パネル面に対向する前記台座の周縁には切欠により側端が形成されるとともに先端がこのパネル面に当接する弾接片が設けられていることを特徴とするボタンスイッチ。
【請求項１０】
請求項１から請求項９のいずれか１項に記載のボタンスイッチにおいて、
前記鍔部位の外周は楕円形状を有し、前記第２プッシュ面よりも大きい前記第１プッシュ面は円形であることを特徴とするボタンスイッチ。
【発明の詳細な説明】
【技術分野】
【０００１】
本発明は、遊技機に用いられプッシュ面が照光可能なボタンスイッチに関し、特に一本の指で操作可能な程に近接した複数のボタンを備えるボタンスイッチに関するものである。
【背景技術】
【０００２】
パチンコ、パチスロ、その他ゲーム機に代表される遊技機では、遊技者が操作して遊技を実行するボタンスイッチが、操作パネル上に設けられている。近年、多様な操作を求める遊技機が多く開発されるようになり、これに応じて多彩なボタンスイッチが操作パネル上に多数設けられるようになってきた。このため、遊技機のパネル面に設けられるボタンスイッチの集積度を向上させることが求められている。
【０００３】
また、遊技機の操作上の排他的処理（例えば、掛け率の選択と決定、レースゲームのアクセルとブレーキ等）を実行する複数で一組のボタンを有するボタンスイッチは、一本の指でプッシュできるようにそのプッシュ面が小面積でかつ近接配置されていることが望まれる。
さらに、そのようなボタンスイッチは、他のボタンスイッチとの誤操作を防止したり、遊技者に操作を示唆したり、または装飾的効果を得るためにいずれか一つのボタンのプッシュ面が発光及び点滅して照光装飾されることが望ましい。
そのような、省スペース型の従来の照光式ボタンスイッチは、プッシュ面が小面積の照光式シングルボタンスイッチ（例えば、特許文献１参照）を複数並べて配置することにより実現されていた。
【特許文献１】特開平９−３５５７３号公報（図７）
【発明の開示】
【発明が解決しようとする課題】
【０００４】
しかし、そのような小面積のボタンスイッチを近接させて並べてパネル面に配置することは、取付部分の機械的強度の低下が避けられず、過激な殴打が繰り返し与えられる遊技機用のボタンスイッチにとって、耐久性低下の問題がある。
また、そのような特有な事情を有する遊技機のボタンスイッチにおいては、それ自身の耐久性も高いことが望まれるところ、省スペース化を目的とする従来のボタンスイッチにおいては、配慮に欠ける問題がある。
そして、構成部品の大部分がモジュール化され、フレームにこれらモジュールが嵌めこまれるようにして構成される遊技機においては、ボタンスイッチが多数配置されて各ボタン毎に電源や信号を処理する電子部品及び配線引き回しが伴うことは、設計レイアウトの自由度が制限される問題がある。
また、遊技機のメンテナンスは、ボタンスイッチを取り外して行う場合が多いところ、小面積で省スペースの従来のボタンスイッチにおいては、その着脱が容易でない問題がある。
【０００５】
本発明は、以上の問題点を解決することを課題としてなされたものであり、小面積でかつ近接する二つのプッシュ面のうち少なくとも一つが照光可能に構成された遊技機用のボタンスイッチにおいて、省スペース、耐久性、メンテナンス性に優れるボタンスイッチを提供するものである。
【課題を解決するための手段】
【０００６】
本発明は、前記した課題を達成するために創案されたものであり、遊技機のパネル面の開口に係合し第１ボタン及び第２ボタンを少なくとも備えるボタンスイッチにおいて、前記第１ボタン及び前記第２ボタンのそれぞれの第１プッシュ面及び第２プッシュ面が上面から露出するようにこれらを弾発支持する筐体と、前記筐体の下面を形成するとともに前記第１ボタン及び前記第２ボタンのそれぞれのオン状態／オフ状態を検知する電装部と、前記パネル面の前記開口に係止するよう前記筐体の上面の外周に鍔状に設けられている鍔部位とを、備えることを特徴とする。
【０００７】
このような手段から発明が構成されることにより、遊技機の操作パネル面に複数のボタンのレイアウトに対応する開口を設ければ、この開口に対して挿抜することにより容易に着脱できメンテナンス性に優れるボタンスイッチが提供される。さらに遊戯機の外部から視認されないパネル面下においても占有領域の小さな省スペースのボタンスイッチが提供される。
【０００８】
さらに前記ボタンスイッチの発明において、前記筐体は前記第１ボタンを弾発する第１弾発部材及びこの第１ボタンを収納する第１収納室を有し、前記第１ボタンは、前記第１収納室に摺接する移動子と、前記移動子に設けられ前記第１収納室の第１係止部位に係止することをもって前記第１ボタンの上死点を規定する第１係止片と、前記移動子に設けられ前記第１収納室の第１当接面に当接することをもって前記第１ボタンの下死点を規定する当接鍔とを、備えることを特徴とする。
さらに前記ボタンスイッチの発明において、前記筐体は前記第２ボタンを弾発する第２弾発部材及びこの第２ボタンを収納する第２収納室を有し、前記第２ボタンは、前記第２収納室に摺接する案内片と、前記第２収納室の第２係止部位に係止することをもって前記第２ボタンの上死点を規定する第２係止片とを備え、その第２プッシュ面の裏面が前記第２収納室に設けられている第２当接面に当接することをもって前記第２ボタンの下死点が規定されることを特徴とする。
【０００９】
このような手段から発明が構成されることにより、筐体、第１ボタン及び第２ボタンのそれぞれを一体成形品として構成し、第１ボタン及び第２ボタンを筐体の第１収納室及び第２収納室にそれぞれ嵌め合わせることにより、第１ボタン及び第２ボタンの弾発変位が実現される。これにより、別個に分離する二以上の部材を接合した部分は一般に耐久性が低下するところ、そのような構造を含まない耐久性の高いボタンスイッチが提供される。さらに、嵌め合わされて一体化した筐体、第１ボタン及び第２ボタンは、可逆的に分解できるのでメンテナンス性に優れたボタンスイッチが提供される。
【００１０】
さらに前記ボタンスイッチの発明において、前記電装部には、前記第１プッシュ面を照光させる光源が設けられていることを特徴とする。
【００１１】
このような手段から発明が構成されることにより、ボタンスイッチのプッシュ面が小面積に構成されても、照光するので、他のボタンスイッチとの誤操作を防止し、遊技者に操作を示唆することができ、さらに装飾的効果をもたせたボタンスイッチが提供される。
【００１２】
さらに前記ボタンスイッチの発明において、前記移動子は、前記光源の出力光を前記第１プッシュ面の方向に反射させる反射面が設けられている上筒体と、前記出力光が通過するとともに前記上筒体よりも絞られた外周に前記第１弾発部材が配置される下筒体とを、有することを特徴とする。
【００１３】
このような手段から発明が構成されることにより、第１ボタンの主要構成品である移動子とこれを弾発させる第１弾発部材との配置が最適化して省スペース化に寄与するとともに、第１ボタンのプッシュ面が高光度でむらなく照光するボタンスイッチが提供される。
【００１４】
さらに前記ボタンスイッチの発明において、前記電装部は、前記収納部から延出する保持片に係合するとともに外部配線が接続される基板と、前記保持片に係合し前記基板を前記筐体の下面から保持する保持部材とを備え、前記基板は、前記光源と、前記移動子に設けられる第１シャッタを検出することにより前記第１ボタンのオン状態／オフ状態を検知する第１検出器と、前記案内片に設けられている第２シャッタを検出することにより前記第２ボタンのオン状態／オフ状態を検知する第２検出器とを、有することを特徴とする。
【００１５】
このような手段から発明が構成されることにより、オン状態／オフ状態が非接触で検出されることにより、高寿命でかつ周囲を汚染することがないボタンスイッチが提供される。さらに、通常、電子部品やプリント配線が形成されている基板を保持部材によって基板に嵌め合わせて固定し、さらに可逆的に分解することもできるので、メンテナンス性に優れたボタンスイッチが提供される。
【００１６】
さらに前記ボタンスイッチの発明において、前記電装部は、前記基板に当接するとともに前記光源と前記第２検出器との間を仕切る遮光壁を、有することを特徴とする。
【００１７】
このような手段から発明が構成されることにより、基板が安定して筐体に固定されるとともに、第１ボタンのオン状態／オフ状態の切り替わりに伴って移動子に遮られてちらつく光源の光が、第２検出器に到達しない。これにより、第２ボタンのオン状態／オフ状態の検出動作の信頼性が向上し省スペースであるボタンスイッチが提供される。
【００１８】
さらに前記ボタンスイッチの発明において、前記筐体の側周面に設けられている螺刻面に挿入され前記パネル面の開口を前記鍔部位と挟持するナットを、備えることを特徴とする。
【００１９】
このような手段から発明が構成されることにより、前記ナットを回して、パネル面に挿入された筐体の固定が容易にでき、さらに逆回転させれはその固定の解除も容易にできるので、メンテナンス性に優れたボタンスイッチが提供される。
【００２０】
さらに前記ボタンスイッチの発明において、前記パネル面とナットとの間に介在する台座を有し、前記パネル面に対向する前記台座の周縁には二つの切欠により両端が形成されこのパネル面に当接する弾接片が設けられていることを特徴とする。
【００２１】
このような手段から発明が構成されることにより、ナットの締め付けによりパネル面に当接する前記弾接片が弾性変形し、この弾性変形に伴い発生した応力が、ナットと前記螺刻面に作用してナットの逆回転が防止される。これにより、繰り返し殴打に対しても固定が弛みにくく、パネル面に対する着脱容易性を犠牲にすることもない、メンテナンス性に優れたボタンスイッチが提供される。
【００２２】
さらに前記ボタンスイッチの発明において、前記鍔部位の外周は楕円形状を有し、前記第２プッシュ面よりも大きい前記第１プッシュ面は円形であることを特徴とする。
【００２３】
このような手段から発明が構成されることにより、幾何学的に、第１プッシュ面と第２プッシュ面とを小面積でかつ密接させて配置するとともに占有領域を小さく構成される省スペース性に優れたボタンスイッチが提供される。
【発明の効果】
【００２４】
本発明によれば、小面積でかつ近接する二つのプッシュ面のうち少なくとも一つが照光可能に構成された遊技機用のボタンスイッチにおいて、省スペース、高耐久性、メンテナンス性に優れるボタンスイッチが提供される。
【発明を実施するための最良の形態】
【００２５】
以下本発明の実施形態について図面を参照しつつ説明する。
図１から図３を参照して本発明の実施形態に係るボタンスイッチ（以下、単に「スイッチ１」という）について説明する。
図１（ａ）の斜視図は、スイッチ１が遊技機の操作パネルに組み込まれている部分を拡大し透視して示している。このように、スイッチ１は、筐体３０の上面に配置される第１ボタン１０及び第２ボタン２０をパネル面２から露出させ、パネル面２の下の視認できない位置にて外部配線３に接続されている。
このように構成されることによりスイッチ１は、遊戯者により第１ボタン１０及び第２ボタン２０がプッシュされて、この遊戯機を操作するものである。
【００２６】
また筐体３０の上面の露出部分の外周は楕円形状を有し、照光する第１プッシュ面板１１は円形であって、第２プッシュ面２１（図２参照）よりも面積が大きく構成されている。
このようにスイッチ１の露出面が構成されることにより、幾何学的に、第１ボタン１０と第２ボタン２０とを小面積でかつ密接させて配置するとともに、これらを収納する筐体３０のパネル面２の内側における占有領域を小さくすることができ、省スペース性がもたらされる。
【００２７】
外部配線３は、その先端部分がスイッチ１に接続されるとともに、基端部分（図示略）が遊戯機の制御装置（図示略）に接続され、第１ボタン１０を照光させる電力を供給したり、第１ボタン１０及び第２ボタン２０のオン状態／オフ状態を示す信号をこの制御装置に伝送させるものである。
このように第１ボタン１０が照光することによって、スイッチ１のボタン１０，２０が小面積に構成されても、他のスイッチ（図示略）との誤操作を防止し、遊技者に操作を示唆することができ、さらに装飾的効果がもたらされる。また、照光式のボタンスイッチ１であるのにもかかわらず、外部配線３は１本ですむので、遊戯機のメンテナンス性の向上をもたらす。
【００２８】
図１（ｂ）の斜視図はパネル面２からスイッチ１を取り外した状態を示している。
図示されるようにスイッチ１は、筐体３０が、パネル面２の開口２ａに係合し、締結部材５０により固定されている。このように構成されるスイッチ１は、パネル面２に対して着脱が容易であり、遊戯機のメンテナンス性が向上する。
【００２９】
筐体３０は、スイッチ１の本体を構成するものであって、外観視において鍔部位３１、収納部３２、螺刻面３３、電装部４０に区分される。このように構成される筐体３０は、第１ボタン１０及び第２ボタン２０をその内部に収納し、これらの露出面（プッシュ面）が遊戯者の指によりプッシュ操作されるように、これらを弾発支持する。
【００３０】
鍔部位３１は、パネル面２の開口２ａを図中上側から係止するように、筐体３０の上面の外周に鍔状（フランジ状）に設けられているものである。
収納部３２は、後に詳述するように、第１ボタン１０及び第２ボタン２０をその内部に変位自在に収容するものである。さらにこの収納部３２は、鍔部位３１に連結する部分の外周の水平断面はパネル面２の開口２ａに略一致し、その他の部分の水平断面はこの開口２ａよりも絞られた形状になっている。これにより、スイッチ１は、パネル面２の外側から開口２ａに向かって挿入するだけで係合させることができる。
【００３１】
さらに、収納部３２の側周面には、螺刻面３３が設けられており、ナット５２が挿入されることにより、開口２ａを鍔部位３１と挟持してスイッチ１を固定することになる。
これにより、ナット５２を順方向／逆方向に回すことにより、パネル面２に挿入されたスイッチ１の固定／解除を容易にすることができ、スイッチ１のメンテナンス性の向上に貢献する。
【００３２】
電装部４０は、筐体３０の下面に形成され、第１ボタン１０及び第２ボタン２０のそれぞれのオン状態／オフ状態を検知し、第１ボタン１０を照光させる光源４４（図２参照）が発光し、さらに外部配線３の先端に設けられている接続端子４が着脱自在に接続される部位である。このように電装部４０が構成されていることにより、電子部品、電気回路系が集約されることになり、省スペース、メンテナンス性の向上に貢献する。
【００３３】
締結部材５０は、ナット５２と台座５１とから構成されている。
台座５１は、パネル面２とナット５２との間に介在するものであって、平面視における楕円の長軸がその周縁と交わる位置に、対向するように一対の弾接片５３が設けられている。
この弾接片５３は、図１（ｃ）に台座５１の側面図が示されているように、パネル面２に対向する台座５１の周縁に設けられている二つの切欠により側端が形成されるとともに、上側を向く先端がこのパネル面２に当接するようその周縁よりも高く形成されている。
【００３４】
このように台座５１が構成されることにより、ナット５２の締め付けによりパネル面２に当接する弾接片５３が弾性変形し、この弾性変形に伴い発生した応力が、ナット５２と螺刻面３３に作用してナット５２の逆回転が防止される。これにより、遊戯者がスイッチ１を繰り返し殴打してもスイッチ１のパネル面２に対する固定が弛みにくく、またそれにもかかわらず着脱容易性が犠牲になることもない。
【００３５】
また、スイッチ１をパネル面２に固定するためにナット５２を締めこむ過程において、パネル面２から弾接片５３の先端が浮いている状態から当接状態に移行し、さらに台座５１の周縁の全体がパネル面２に当接する状態に移行するにあたり、ナット５２の回転トルクが段階的に変化することになる。これにより、実際の遊戯機では、スイッチ１のパネル面２の下部分は死角になる場合が多いが、作業者は、目視確認することなくナット５２を回転させる指先の触感でスイッチ１のパネル面２に対する固定を確認することができる。これにより、遊戯機のメンテナンス性の向上に貢献する。
【００３６】
なお、本発明において、スイッチ１をパネル面２に対して固定する方法は、図１に示されるような締結部材５０と螺刻面３３との連携により達成されるものに限定されることはなく、現時点の遊戯機に適用されているスイッチの固定方法を適宜採用することができる。
例えば、図示略とするが、図１（ｂ）の収納部３２の側周面に、弾性的に出没する突起を設け、スイッチ１を開口２ａに挿入すると同時に、この突起が開口２ａの図中下面に係合するような固定方法を採用してもよい。
【００３７】
図２の分解斜視図は、図１（ｂ）中に示される筐体３０（スイッチ１の本体部分）がさらに構成部品毎に分解された状態を示している。
筐体３０には、すでに前記したものに加えて、第１収納室７０、第２収納室８０、保持片３４が設けられている。この第１収納室７０は、第１ボタン１０とともにこれを筐体３０から弾発させる第１弾発部材１４を収納する空間である。また第２収納室８０は、第２ボタン２０とともにこれを筐体３０から弾発させる第２弾発部材２５を収納する空間である。そして、保持片３４は、電装部４０における基板４５を保持部材４６により保持する部位である。
【００３８】
第１ボタン１０は、第１プッシュ面板１１と、光拡散板１３と、移動子６０とが設けられている。このように構成される第１ボタン１０は、筐体３０に向かってプッシュする方向とは逆方向に向かう弾発を第１弾発部材１４から受け、遊戯者の指先操作によってオン状態／オフ状態が切り替えられるとともに、面全体が照光するものである。
第１プッシュ面板１１は、遊戯者の指先で直接的にプッシュされる部分であって、光源４４からの可視光に対して透明な部材から構成されているために面全体が照光するものである。そして、第１プッシュ面板１１は、キャップ状に成形され、側周面に設けられている孔１２が移動子６０の側周面に設けられている突起６２に係合することにより、この移動子６０と一体化する。
光拡散板１３は、第１プッシュ面板１１と移動子６０との間に挟持され、光源４４からの可視光を拡散して第１プッシュ面板１１の面全体を均等に照光させるものである。
【００３９】
移動子６０は、上筒体６５と、下筒体６７と、一対の係止片６４，６４とから構成されている。
上筒体６５の外周面には、鍔状の当接鍔６３が設けられている。この当接鍔６３は、その側周面において第１収納室７０の内周面に摺接して移動子６０の移動を案内するとともに、その下面において筐体３０の第１当接面７１（図３（ｄ）参照）に当接して移動子６０の下死点を規定するものである。
また、上筒体６５の内周面には、反射面６１がすり鉢状に設けられている（適宜図３（ｄ）参照）。この反射面６１は、光源４４の出力光を第１プッシュ面板１１の方向に拡散して反射させるものである。
【００４０】
第１係止片６４は、上筒体６５の外周面の一部を形成しつつ、板状体の基端が当接鍔６３の近傍に固定され先端が鍵状の自由端になっている。このように構成される第１係止片６４は、その鍵状の先端が第１収納室７０の内周面に向かう方向に弾発し、第１ボタン１０を第１収納室７０に挿入するだけで筐体３０に組み付けることができるようになっている。さらに、筐体３０に組み付けられた後の第１係止片６４は、その鍵状の先端が第１収納室７０の第１係止部位７３,７４（図３（ｃ）参照）に係止することをもって第１ボタン１０の上死点を規定する。
【００４１】
下筒体６７は、上筒体６５よりも外径が絞られて構成され、その内周面を光源４４の出力光が通過するとともにその外周面をソレノイド状の第１弾発部材１４が配置されている。
この第１弾発部材１４は、その上端が、上筒体６５と下筒体６７との境界に位置するバネ当接面６６に当接するとともに、その下端が、第１収納室７０の内周面から延出する第１案内片７２（図３参照）の上面に当接する。このように構成される第１弾発部材１４は、第１ボタン１０を、筐体３０に対し、指先がプッシュする方向とは逆方向に向かって弾発するものである。
【００４２】
さらに、下筒体６７の外周面は、第１収納室７０の内周面から延出する第１案内片７２の内側端に摺接し、図中上下方向に移動する移動子６０が揺動しないように作用する。
また、下筒体６７の内周面からは、板状の第１シャッタ６８が、その先端を中心軸方向に向けて設けられている。この第１シャッタ６８は、第１ボタン１０がプッシュされ下死点に到達するのに応じて、第１検出器４１に検知されオン状態とするものである。一方、プッシュを開放して第１ボタン１０が上死点に到達するのに応じて、第１検出器４１に非検知となりオフ状態とするものである。
【００４３】
第２ボタン２０には、第２プッシュ面２１と、第２係止片２２と、案内片２３と、第２シャッタ２４と、が設けられている。このように構成される第２ボタン２０は、指先がプッシュする方向とは逆方向に向かう弾発を第２弾発部材２５から受けつつ、第２ボタン２０のオン状態／オフ状態を切り替えるものである。
【００４４】
第２プッシュ面２１は、遊戯者の指先からプッシュ操作を受ける面である。そして、第２プッシュ面２１の裏面は、第２弾発部材２５の一端に当接して弾発力を受けるとともに、第２収納室８０に設けられている第２当接面８１（図３（ａ）（ｄ）参照）に当接することをもって第２ボタン２０の下死点を規定する。
【００４５】
第２係止片２２は、二本の対をなす棒状体の基端が、第２プッシュ面２１の裏面に固定され先端が鍵状の自由端になっている。このように構成される第２係止片２２は、その鍵状の先端が第２収納室８０の内周面に向かう方向に弾発し、第２ボタン２０を第２収納室８０に挿入するだけで筐体３０に組み付けることができるようになっている。さらに、筐体３０に組み付けられた後の第２係止片２２は、その鍵状の先端が第２収納室８０の第２係止部位８２,８２（図３（ａ）（ｃ）参照）に係止することをもって第２ボタン２０の上死点を規定するものである。
【００４６】
案内片２３は、第２プッシュ面２１の裏面に剛に固定された板状体であって、第２収納室８０の案内孔８３（図３（ａ）参照）に摺接するものである。そして、案内片２３の長手方向が第２ボタン２０の変位方向になる。さらに案内片２３の先端には第２シャッタ２４が設けられている。そして、この第２シャッタ２４は、第２ボタン２０がプッシュされ下死点に到達するのに応じて、第２検出器４２に検知されオン状態とするものである。一方、プッシュを開放して第２ボタン２０が上死点に到達するのに応じて、第２検出器４２に非検知となりオフ状態とするものである。
【００４７】
第２弾発部材２５は、図３（ａ）に示されるように、第２収納室８０の第２当接面８１に開口を有するバネ収容孔８５の底に、その下端を接して収容されている。そして、第２弾発部材２５の上端が、第２プッシュ面２１の裏面に当接する。このように構成される第２弾発部材２５は、第２ボタン２０を、筐体３０に対して指先がプッシュする方向とは逆方向に向かって弾発するものである。
【００４８】
図２に戻って説明を続ける。
電装部４０は、基板４５と、保持部材４６と、収納部３２から延出する保持片３４及び遮光壁７５（図３（ｂ）（ｃ）参照）と、から構成される。
【００４９】
保持片３４，３４は、収納部３２から筐体３０の底面方向に延出し、切欠３５を有するように対向配置される一対（二枚）の湾曲面片である。
基板４５は、その外周の形状が保持片３４に内接するように形成されており、さらに切欠３５にその張出部位４８が係合して筐体３０に対する回転方向の相対位置が固定される。さらに、基板４５は、その上に光源４４と、第１検出器４１と、第２検出器４２と、コネクタ４３とを、備えている。
【００５０】
第１検出器４１は、二本のロッドが並列に直立するＵ字形状の電子部品であって、基板４５上のプリント配線に直接ハンダ付されている。そして、第１検出器４１は、一方のロッドに配置された発光素子（図示略）の発光する光線が、他方のロッドに配置された受光素子（図示略）に受光されているオフ状態と、ロッドの間にシャッタが介在して光線が遮断されるオン状態とに対応する信号を出力するものである。
このように構成される、第１検出器４１は、上下方向に変位する移動子６０に設けられる第１シャッタ６８の検出／非検出に対応させて第１ボタン１０のオン状態／オフ状態を検知するものである。
【００５１】
第２検出器４２も、第１検出器４１と同一の電子部品であって、案内片２３に設けられている第２シャッタ２４を検出／非検出に対応させて第２ボタン２０のオン状態／オフ状態を検知するものである。
光源４４も、基板４５上のプリント配線に直接ハンダ付されている電子部品であって、第１プッシュ面板１１を照光させるものである。
コネクタ４３は、接続端子４を、物理的に着脱自在に接続するとともに、基板４５上のプリント配線に電気的に接続させるものである。
【００５２】
保持部材４６は、平面視において基板４５と略同一形状を有し、その側周面には一対の突起４７，４７が設けられている。そして、保持部材４６は、保持片３４に内接するとともに切欠３５に係合し、さらに突起４７，４７が保持孔３４ａ，３４ａに係合することにより、基板４５を筐体３０の下面から保持するものである。
【００５３】
遮光壁７５は、図３（ｂ）（ｃ）に示されるように、筐体３０における第１収納室７０及び第２収納室８０を仕切る隔壁が底部に向かってさらに延出したものであって、その先端が基板４５に当接するとともに光源４４と第２検出器４２との空間を仕切るものである。
このように遮光壁７５が構成されることにより、基板４５が安定して筐体３０に固定されるとともに、第１ボタン１０のオン状態／オフ状態の切り替わりに伴って移動子６０に遮られてちらつく光源４４の光が、第２検出器４２に到達しない。これにより、第２ボタン２０のオン状態／オフ状態の検出動作の信頼性が向上することになる。
【００５４】
以上説明したようにスイッチ１の本体部分は、その要素部品である筐体３０、第１ボタン１０及び第２ボタン２０等も含め、一体成形品の嵌め合わせにより全てが構成される。すなわち、別個に分離する二以上の部材を接着材やロウ付等による接合した接合部分を含まないことになる（電子部品を除く）。一般に、そのような接合部分は耐久性が低下するところ、本実施形態のスイッチ１は、そのような接合部分を含まない構造であるので耐久性が高いといえる。さらに、嵌め合わせた筐体、第１ボタン及び第２ボタン等の要素部品は、可逆的に分解できるのでメンテナンス性に優れたボタンスイッチが提供される。また、本発明のスイッチ１が取り付けられている遊戯機を多数設置する遊技場においても、このスイッチ１は、要素部品単位で細かく分解できるので、部品単位で交換する補修を容易に実施でき、またそのために在庫しておく修理部品の点数を減らすことができる。
【００５５】
次に、図３（ｃ）（ｄ）を参照してスイッチ１の動作説明を行う。ここで図３（ｃ）は（ａ）のＸ−Ｘ断面において二つのボタンがともにオフ状態を示している縦断面図であり、図３（ｄ）は二つのボタンがともにオン状態を示している縦断面図である。
【００５６】
（第１ボタンの動作）
まず、図３（ｃ）に示される、第１プッシュ面板１１がブッシュされていないオフ状態においては、第１弾発部材１４は、弾発して、その両端が接するバネ当接面６６と第１案内片７２に対して、これらの間隔を広げる方向に応力が作用する。そして、この第１弾発部材１４の作用力は、第１係止片６４が当接する第１係止部位７３の反力により打ち消され、第１プッシュ面板１１は、鍔部位３１から若干突出した位置で静止する。この状態で、第１検出器４１は、第１シャッタ６８を検出することはないので、オフ状態の信号を出力する。
【００５７】
次に、図３（ｄ）に示される、第１弾発部材１４の弾発とは反対方向に第１プッシュ面板１１が指先でブッシュされているオン状態においては、この第１プッシュ面板１１に作用する作用力は、当接鍔６３が当接する第１当接面７１の反力により打ち消され、第１プッシュ面板１１は、鍔部位３１と面が揃った位置で静止する。この状態で、第１検出器４１は、第１シャッタ６８を検出して、オン状態の信号を出力する。
また、光源４４の発光により照光する第１プッシュ面板１１の光度は、オン状態／オフ状態のいずれであっても、光源４４、反射面６１及び第１プッシュ面板１１の相対位置関係に大きな変動がないので、安定している。
【００５８】
（第２ボタンの動作）
まず、図３（ｃ）に示される、第２プッシュ面２１がブッシュされていないオフ状態においては、第２弾発部材２５は、弾発して、その両端が接する第２プッシュ面２１の裏面とバネ収容孔８５（図３（ａ））の底に対して、これらの間隔を広げる方向に応力が作用する。そして、この第２弾発部材２５の作用力は、第２係止片２２が当接する第２係止部位８２の反力により打ち消され、第２プッシュ面２１は、鍔部位３１と面が揃った位置で静止する。この状態で、第２検出器４２は、第２シャッタ２４を検出することはないので、オフ状態の信号を出力する。
【００５９】
次に、図３（ｄ）に示される、第２弾発部材２５の弾発とは反対方向に第２プッシュ面２１が指先でブッシュされているオン状態においては、この第２プッシュ面２１に作用する指先の作用力は、第２プッシュ面２１の裏面が当接する第２当接面８１の反力により打ち消され、第２プッシュ面２１は、鍔部位３１から若干陥没した位置で静止する。この状態で、第２検出器４２は、第２シャッタ２４を検出して、オン状態の信号を出力する。
また、遮光壁７５により、光源４４の発光は、遮蔽されて第２検出器４２に到達しない。これにより、隣接する第１プッシュ面板１１がオン状態／オフ状態を繰り返すことに伴い、光源４４から漏洩する光がちらついても第２検出器４２が誤動作することはない。
【００６０】
以上の説明において、ボタンスイッチ１は、一つの筐体３０に２個のボタン（第１ボタン１０及び第２ボタン２０）が収納されているものを例示したが、これに限定されるものではなく、一つの筐体３０に３個以上のボタンが収納される場合も含まれる。
【図面の簡単な説明】
【００６１】
【図１】（ａ）は本発明の実施形態に係るボタンスイッチが遊技機の操作パネルに組み込まれている状態を示す斜視図であり、（ｂ）は操作パネルからボタンスイッチを取り外した状態を示す斜視図であり、（ｃ）は台座の側面図である。
【図２】本実施形態に係るボタンスイッチの本体部分の分解斜視図である。
【図３】（ａ）は本実施形態のボタンスイッチに適用される筐体の上面図であり、（ｂ）はその下面図であり、（ｃ）は（ａ）のＸ−Ｘ断面において二つのボタンがともにオフ状態を示している縦断面図であり、（ｄ）は二つのボタンがともにオン状態を示している縦断面図である。
【符号の説明】
【００６２】
１      スイッチ
２      パネル面
２ａ    開口
３      外部配線
１０    第１ボタン
１１    第１プッシュ面板
１４    第１弾発部材
２０    第２ボタン
２１    第２プッシュ面
２２    第２係止片
２３    案内片
２４    第２シャッタ
２５    第２弾発部材
３０    筐体
３１    鍔部位
３２    収納部
３３    螺刻面
３４    保持片
４０    電装部
４１    第１検出器
４２    第２検出器
４４    光源
４５    基板
４６    保持部材
５０    締結部材
５１    台座
５３    弾接片
６０    移動子
６１    反射面
６３    当接鍔
６４    第１係止片
６５    上筒体
６７    下筒体
６８    第１シャッタ
７０    第１収納室
７１    第１当接面
７２    第１案内片
７３    第１係止部位
７５    遮光壁
８０    第２収納室
８１    第２当接面
８２    第２係止部位
８３    案内孔
【図１】
2009050362.tif 000003
【図２】
2009050362.tif 000004
【図３】
2009050362.tif 000005